(57)【要約】【課題】ガスメータを交換する際に、旧ガスメータの設定データを新ガスメータへコピーを行うが、例えば、ガス漏れ警報器が接続されていないと設定できない機能は、新ガスメータにも警報器が接続されていなければ設定できないため、新たに接続認識用の警報器を用意しなければならないという課題がある。【解決手段】ガスメータの設定データをコピーするための通信ケーブル１０は、各種設定データのコピーを行うための通信ライン１１、１２と、ガスメータの警報器に繋がる信号ライン１３、１４を有しており、さらに信号ラインの先端にはダイオード１５が設けられている。これにより、新ガスメータ２が発呼を行って警報器の接続状態を確認した場合も、警報器が接続されていると判断するため、警報器が実際に接続されていないと設定できない機能に係る設定データを新ガスメータにコピーすることが可能となる。【選択図】図３
2009300372.tif 000002
【特許請求の範囲】
【請求項１】
ガスメータの設定値を移植するガスメータ通信用ケーブルにおいて、
ガスメータの通信端子に接続する通信ラインと、
前記通信ラインの通信端子とは異なるガスメータの端子に接続される信号ラインを有し、
前記信号ラインはガスメータからの信号に擬似的に応答することを特徴とするガスメータ通信用ケーブル。
【請求項２】
前記信号ラインは、前記ガスメータの通信端子に接続される反対側にダイオードを有していることを特徴とする請求項１に記載のガスメータ通信用ケーブル。
【請求項３】
前記信号ラインが接続されるガスメータの通信端子が、前記ガスメータの警報器端子であることを特徴とする請求項１または２に記載のガスメータ通信用ケーブル。
【発明の詳細な説明】
【技術分野】
【０００１】
本発明は、既設ガスメータの設定データを新設ガスメータに移植（コピー）する際に用いる、ガスメータ通信用ケーブルに関する。
【背景技術】
【０００２】
従来より、ガスメータを交換する際に、旧ガスメータの設定データを新ガスメータへコピーする機能は多数開示されている。
例えば、特許文献１には、既設ガスメータをガスメータ用設定データ移植器へ接続し、既設ガスメータの設定データをガスメータ用設定データ移植器のＲＡＭに保持し、次に、ガスメータ用設定データ移植器を新設ガスメータに接続し直した後に、ＲＡＭにて保持した既設ガスメータの設定データを新設ガスメータへ一括して書き込みを行うものが記載されている。
【０００３】
また、特許文献２には、旧ガス遮断装置と新ガス遮断装置との通信端子同士を信号線で接続し、新ガス遮断装置の入力手段の特定操作により、旧ガス遮断装置に設定されている設定情報を新ガス遮断装置に新たに設定するものが示されている。
【特許文献１】特開２００６−３３０８８２号公報
【特許文献２】特開２００７−３３３３０５号公報
【発明の開示】
【発明が解決しようとする課題】
【０００４】
しかしながら、上記先行技術１、２を利用した場合であっても、旧ガスメータが保持するデータを新ガスメータへ移植設定する際に、新ガスメータを設定可能な状態にすることへの考慮がされていないために、旧ガスメータの設定データを新ガスメータへコピーすることが出来ない場合が存在する。
【０００５】
例えば、ガスメータは、その適用範囲を拡大するため、拡張２と呼ばれる自動設定機能の一部を停止する機能を保有しており、拡張２の設定では使用時間遮断機能の一時停止が可能であるが、ガス漏れ警報器が接続されていないと設定できない仕様となっている。なお、使用時間継続遮断とは、ガスメータがガス器具の使用時間を計測し、あらかじめ設定されている継続使用時間を超過すると自動的にガスを遮断する機能である。
【０００６】
そして、旧ガスメータに拡張２が設定されていても、旧ガスメータからガス漏れ警報器を取り外してしまった場合は、旧ガスメータの拡張２が自動的に解除されてしまうこととなる。したがって、このように拡張２が解除された状態で旧ガスメータと新ガスメータを通信用ケーブルで接続し、新ガスメータから発呼信号を旧ガスメータへ送信すると、設定データのコピーは開始されるが、旧ガスメータで設定されていた拡張２の設定が新ガスメータでは設定できずにメータ設定値のコピーは失敗してしまう。
【０００７】
さらに、このようなガス漏れ警報器が接続されていないと設定できないガスメータの機能は、ガス漏れ警報器を取り外してしまうと、所定時間経過することにより自動的にガスメータが保持する設定値がクリアされてしまう。このため、ガスメータを交換する際に、ガスメータ交換員が誤ってガス漏れ警報器を外してしまうと、メータ設定値のコピーができないばかりか、旧ガスメータが保持する設定値（拡張機能や学習状態等）がクリアされてしまい、初期状態となってしまうケースが発生している。
【０００８】
このため、ガスメータの設定データをコピーする際には、旧ガスメータと新ガスメータ共にガス漏れ警報器を接続している必要がある。これは、旧ガスメータに拡張２の設定がなされている場合、設定データのコピーを実施した際に、新ガスメータにもガス漏れ警報器が接続されていなければならず、ガス漏れ警報器が接続されていないと、設定データのコピーに失敗するためである。
そのため、設定データをコピーする為には、新たに接続認識用のガス漏れ警報器を用意しなければならないという課題を有している。
【０００９】
本発明は、上記課題を解決するもので、旧ガスメータの設定値を通信用ケーブルを用いて新ガスメータに移植する際に、新たに接続認識用のガス漏れ警報器を準備しなくとも、旧ガスメータの設定値のデータを新ガスメータへ確実に移植することができるガスメータ通信用ケーブルを提供するものである。
【課題を解決するための手段】
【００１０】
請求項１の発明は、ガスメータの設定値を移植するガスメータ通信用ケーブルにおいて、ガスメータの通信端子に接続する通信ラインと、前記通信ラインの通信端子とは異なるガスメータの端子に接続される信号ラインを有し、前記信号ラインはガスメータからの信号に擬似的に応答することを特徴としたものである。
【００１１】
請求項２の発明は、請求項１の発明において、前記信号ラインは、前記ガスメータの通信端子に接続される反対側にダイオードを有していることを特徴としたものである。
【００１２】
請求項３の発明は、請求項１または２の発明において、前記信号ラインが接続されるガスメータの通信端子が、前記ガスメータの警報器端子であることを特徴としたものである。
【発明の効果】
【００１３】
本発明によるガスメータ通信用ケーブルを用いることで、旧ガスメータの設定データを新ガスメータにコピーする際に、新たに接続認識用のガス漏れ警報器を用意する必要がなく、拡張２の設定内容を含む旧ガスメータ１の設定データのコピーを実施することができる。
また、メータ交換の際に誤って設定内容を初期化する心配もなくなる。
【発明を実施するための最良の形態】
【００１４】
以下に、本発明に係るガスメータ通信用ケーブル（以下、「通信用ケーブル」という。）の構成と、旧ガスメータの設定データを新ガスメータへ移植（コピー）する方法について説明する。
【００１５】
図１は、本発明に係る通信用ケーブルを用いて、旧ガスメータ１から新ガスメータ２へ直接設定データを移植する際の接続形態を示す図である。図中の１０は通信用ケーブル、１は旧ガスメータ、２は新ガスメータである。
ここで、旧ガスメータ１は既設のガスメータであって、新ガスメータ２は旧ガスメータ１と交換される新設のガスメータである。
旧ガスメータ１から新ガスメータ２にコピーするデータは、ガスメータの更新時にコピーすべきデータとして定められた所定のデータであって、複数の機能を有するガスメータにおいて各機能を実行するために使用される各種の設定データ、積算値データ、遮断履歴やメータ番号などのユーティリティデータ等、ガスメータが保有するデータ全般が該当する。
【００１６】
図２は、本発明に係る通信用ケーブルの構成例を示すもので、通信用ケーブル１０は、旧ガスメータ１及び新ガスメータ２のＤＴ、ＳＧ端子にそれぞれ接続する２本の通信ライン１１、１２と、通信ラインの通信端子とは異なる新ガスメータ２側の端子に接続される＋（プラス）信号ラインと−（マイナス）信号ラインとからなる信号ライン１３、１４を有している。
そして、＋信号ライン１３と−信号ライン１４は、ガスメータをガス漏れ警報器に接続するためのものであり、ガスメータの警報器＋端子と警報器−端子にそれぞれ接続される。
【００１７】
ガスメータの警報器端子に接続された信号ラインはメータ発呼によりガス漏れ警報器が接続されているかどうかを判定するために用いられる。
図３は、新ガスメータに接続された通信用ケーブルを示す図である。
ここで、通信用ケーブルの信号ライン１３、１４の一端は、図示しない新ガスメータの警報器端子に接続されるとともに、信号ライン１３、１４の他端はダイオード１５の両端子に接続されており、ダイオード１５を介して新ガスメータ２側からの警報器接続信号に擬似的に応答する構成を有している。これは、新ガスメータ２と通信用ケーブル１０を接続することにより、新ガスメータ２側からの発呼信号がループする形となり、警報器接続とみなされるようにするものである。
【００１８】
ガスメータの設定データの移植方法としては、図示しないが、例えば、メータ交換作業員やオペレータによる操作入力を受け付ける操作入力手段と、データを記憶するメモリであるデータ記憶手段と、データを一時的に記憶するバッファであるデータ一時記憶バッファと、検針値等の情報や、データコピーの進行状況、及びデータコピーの成功または失敗等の情報を表示する表示手段と、接続された他のガスメータとの間で通信を行う通信手段と、ガスメータを起動させるメータ起動部と、これら各部を制御する制御手段とを有しているメータであれば、旧ガスメータ１から新ガスメータ２へのデータのコピー処理は制御手段の制御によって実行され、旧ガスメータ１から取得したコピーすべきデータは、新ガスメータ２のデータ一時記憶バッファに一旦保持された後、データ記憶手段に記憶することが可能である。
【００１９】
そして、新ガスメータ２の警報器端子には信号ライン１３、１４が接続されているので、旧ガスメータ１の拡張２の設定内容を新ガスメータ２に拡張２の設定内容としてコピーすることができる。
操作入力手段としては、テスト遮断スイッチ、復帰ボタン、容器リセットスイッチや他のガスメータのスイッチを用いることができる。
【００２０】
図４は、ガスメータのデータを直接他のガスメータへコピーするときの処理例を説明するためのフローチャートである。
ガスメータを交換する際に、まず交換される旧ガスメータ１と、交換後に使用する新ガスメータ２とを相互に通信用ケーブル１０で接続した状態で、旧ガスメータ１が保持するコピーすべきデータを新ガスメータ２にコピーする処理を開始する。
このとき、旧ガスメータ１は宅内に既設されたガス漏れ警報器と接続状態にある必要がある。また、新ガスメータ２の警報器端子には通信用ケーブルの信号ラインが接続されている必要がある。
【００２１】
新ガスメータ２は、メータ発呼を発生する所定の操作が行われると（ステップＳ１）、旧ガスメータ１に対してメータ発呼を行う。ここでは、生成した発呼信号が旧ガスメータ１に送信される。
メータ発呼を発生する所定の操作は、メータ発呼を行うために予め定められた操作であり、例えば、先述のようにテスト遮断スイッチ、復帰ボタン、容器リセットスイッチの操作であってもよく、またこれらのうちの一または複数の操作であってもよい。
【００２２】
新ガスメータ２からの発呼信号を受信した旧ガスメータ１は、Ａモード検針応答電文を生成し（ステップＳ２）、生成した当該応答電文を新ガスメータ２に送信する（ステップＳ３）。Ａモード検針応答電文を受信した新ガスメータ２では、旧ガスメータ１からコピーすべきデータを読み出す要求電文を生成し（ステップＳ４）、生成した当該要求電文を旧ガスメータ１に送信する（ステップＳ５）。このときに新ガスメータ２は、コピー処理の進捗状況として、データの要求電文を送信中であることを示す表示を行う。
【００２３】
新ガスメータ２からの要求電文を受信した旧ガスメータ１では、コピーすべきデータを含む応答電文を生成し（ステップＳ６）、生成した当該応答電文を新ガスメータ２に送信する（ステップＳ７）。新ガスメータ２では、応答電文によりデータの取得が完了したかどうかを判別し（ステップＳ８）、データの取得が完了していれば、旧ガスメータ１からの応答電文を使用して、旧ガスメータ１のデータを新ガスメータ２にコピーする（ステップＳ９）。この場合、新ガスメータ２では、旧ガスメータ１から取得したデータをデータ一時記憶バッファに記憶させておき、そのデータを使用して新ガスメータ２のデータ記憶手段に設定する。
なお、ステップＳ８でデータの移行が完了していない場合は、ステップＳ４へ移行し、ステップＳ４からステップＳ７までのフローを繰り返す。
【００２４】
ここで、新ガスメータ２の警報器端子に通信用ケーブル１０の信号ライン１３、１４が接続されており、新ガスメータ２が警報器との擬似的な接続を確認できれば、拡張２の設定内容もコピーされるが、信号ライン１３、１４の接続忘れなどにより警報器接続が確認できないと、拡張２の設定内容のコピーが出来ず、コピー処理が失敗することとなる。
【００２５】
図４に示した以上の処理により設定データのコピーが終了するが、新ガスメータ２では、データのコピーが終了したとき、コピー処理が成功または失敗したことを示す表示を行うようにしてもよい。
また、新ガスメータ２への設定データのコピー終了後は、旧ガスメータ１と新ガスメータ２から通信用ケーブル１０を取り外すとともに、旧ガスメータ１からガス漏れ警報器との接続を取り外し、所定時間内に新ガスメータ２の警報器端子にガス漏れ警報器を接続すれば、新ガスメータ２にコピーした設定データがクリアされることがない。
【００２６】
図５は、本発明に係る通信用ケーブルを用いて旧ガスメータから新ガスメータへ設定データを移植する際の他の接続形態を示す図であり、ガスメータ用設定データ移植器として機能する設定器３を介してデータ移行を行う場合の接続形態を示している。
この場合、設定データの移植の方法としては、まず旧ガスメータ１の設定データを一時的に設定器３にコピーする。このとき、旧ガスメータ１は宅内に既設されたガス漏れ警報器と接続状態にある必要がある。
【００２７】
図６は、ガスメータのデータを設定器へコピーするときの処理例を説明するためのフローチャートであり、図４のフローチャートにおいて、新ガスメータ２を設定器３に置き換えたものとその内容は概ね同等であるが、設定器３を用いた場合はメータ発呼を発生させる必要がない。
【００２８】
まず、設定器３にてデータ移行を開始するための所定の操作が行われると（ステップＳ１１）、設定器３では、旧ガスメータ１からコピーすべきデータを読み出す要求電文を生成し（ステップＳ１２）、生成した当該要求電文を旧ガスメータ１に送信する（ステップＳ１３）。このときに設定器３は、コピー処理の進捗状況として、データの要求電文を送信中であることを示す表示を行う様にしてもよい。
【００２９】
設定器３からの要求電文を受信した旧ガスメータ１では、コピーすべきデータを含む応答電文を生成し（ステップＳ１４）、生成した当該応答電文を設定器３に送信する（ステップＳ１５）。設定器３では、応答電文によりデータの取得が完了したかどうかを判別し（ステップＳ１６）、データの取得が完了していれば、旧ガスメータ１からの応答電文を使用して、旧ガスメータ１のデータを設定器３にコピーする（ステップＳ１７）。この場合、旧ガスメータ１で警報器接続が確認されていると、拡張２の設定内容もコピーされるが、警報器接続が確認されていないと、拡張２の設定内容のコピーは出来ない。
【００３０】
次に、旧ガスメータ１と設定器３での設定データのコピーが完了すると、設定器３と新ガスメータ２とを通信用ケーブルで接続する。
図７は、設定器のデータをガスメータへコピーするときの処理例を説明するためのフローチャートである。ここで、新ガスメータ２の警報器端子には通信用ケーブル１０の信号ラインが接続されている必要がある。
【００３１】
まず、設定器３にてデータ移行を開始するための所定の操作が行われると（ステップＳ２１）、設定器３はコピーすべきデータを設定する電文を作成し（ステップＳ２２）、生成した設定電文を新ガスメータ２へ送信する（ステップＳ２３）。  このときに設定器３は、コピー処理の進捗状況として、データの設定電文を送信中であることを示す表示を行う様にしてもよい。
【００３２】
新ガスメータ２では、設定電文を取得し、そのデータをコピーする（ステップＳ２４）。また、設定電文に対する応答電文を作成し（ステップＳ２５）、この応答電文を設定器３に送信する（ステップＳ２６）。設定器３では、設定すべきデータの送信がすべて完了しているかどうかを判別し（ステップＳ２７）、完了していない場合は、ステップＳ２２に戻って残りのデータについての送信を繰り返し、完了している場合はデータ移行処理を終了する。
【００３３】
旧ガスメータ１にて拡張２の設定がなされている場合、設定器３にも拡張２のデータがコピーされており、新ガスメータ２の警報器端子に通信用ケーブル１０の信号ライン１３，１４が接続されており、新ガスメータ２がガス漏れ警報器との擬似的な接続を確認できれば、拡張２の設定内容もコピーされる。また、新ガスメータ２がガス漏れ警報器との擬似的な接続を確認できない場合は、拡張２の設定内容のコピーは出来ず、設定データのコピーは失敗となる。
【００３４】
そして、新ガスメータ２から通信用ケーブル１０を取り外した後は、所定時間内に旧ガスメータに接続されていたガス漏れ警報器を新ガスメータ２へ付け替えれば、コピーした設定データがクリアされることはない。
【図面の簡単な説明】
【００３５】
【図１】本発明に係る通信用ケーブルを用いて、旧ガスメータから新ガスメータへ直接設定データを移植する際の接続形態を示す図である。
【図２】本発明に係る通信用ケーブルの構成例を示す図である。
【図３】新ガスメータに接続された通信用ケーブルを示す図である。
【図４】ガスメータのデータを直接他のガスメータへコピーするときの処理例を説明するためのフローチャートである。
【図５】本発明に係る通信用ケーブルを用いて旧ガスメータから新ガスメータへ設定データを移植する際の他の接続形態を示す図である。
【図６】ガスメータのデータを設定器へコピーするときの処理例を説明するためのフローチャートである。
【図７】設定器のデータをガスメータへコピーするときの処理例を説明するためのフローチャートである。
【符号の説明】
【００３６】
１…旧ガスメータ、２…新ガスメータ、３…設定器、１０…通信用ケーブル、１１，１２…通信ライン、１３，１４…信号ライン、１５…ダイオード。
【図１】
2009300372.tif 000003
【図２】
2009300372.tif 000004
【図３】
2009300372.tif 000005
【図４】
2009300372.tif 000006
【図５】
2009300372.tif 000007
【図６】
2009300372.tif 000008
【図７】
2009300372.tif 000009